(57)【要約】      （修正有）【課題】伝送速度を向上させることができるソケットコネクタを提供する。【解決手段】ソケットコネクタは、第１舌片１２を含む第１挿入口１０と、第２舌片を含む第２挿入口１１と、を並べるように形成される絶縁本体１と、前記第１舌片に装着される第１導電端子組３と、前記第２舌片に装着される第２導電端子組４と、を含み、回路基板に実装されたソケットコネクタ１００において、前記第１導電端子組は複数の第１端子と第２端子とを含み、前記第１端子は第１コンタクト部３３を有し、前記第２端子は第２コンタクト部３６を有し、前記第１コンタクト部と第２コンタクト部は前記第１舌片の底壁に配置され、第１コンタクト部が前記第１舌片の底壁を突出し、第２コンタクト部が前記第１舌片の底壁に貼付けるように配置される。【選択図】図１
0003145526.tif 000002
【実用新案登録請求の範囲】
【請求項１】
第１舌片を含む第１挿入口と、第２舌片を含む第２挿入口と、を並べるように形成される絶縁本体と、
前記第１舌片に装着される第１導電端子組と、
前記第２舌片に装着される第２導電端子組と、
を含み、回路基板に実装されたソケットコネクタにおいて、
前記第１導電端子組は複数の第１端子と第２端子とを含み、前記第１端子は第１コンタクト部を有し、前記第２端子は第２コンタクト部を有し、
前記第１コンタクト部と第２コンタクト部とは前記第１舌片の底壁に配置され、第１コンタクト部が前記第１舌片の底壁を突出し、第２コンタクト部が前記第１舌片の底壁に貼付けるように配置されることを特徴とするソケットコネクタ。
【請求項２】
前記第１舌片の底壁には、第１収容溝と、第１収容溝よりも前方に位置する第２収容溝とを設けられ、前記第１端子の第１コンタクト部が前記第１収容溝に収容され、第２端子の第２コンタクト部は第２収容溝に収容されることを特徴とする請求項１に記載のソケットコネクタ。
【請求項３】
前記第１端子の第１コンタクト部が弧状を呈し、前記第２端子の第２コンタクト部が平板状を呈することを特徴とする請求項１に記載のソケットコネクタ。
【請求項４】
前記各第１端子は、第１テール部と、前記第１コンタクト部及び第１テール部を連接するための第１保持部とを有し、第１保持部は前記第１コンタクト部の後端から延出するように前記絶縁本体に保持され、前記各第２端子は、第２テール部と、前記第２コンタクト部及び第２テール部とを連接するための第２保持部とを有し、第２保持部は前記第２コンタクト部の前端から延出するように前記絶縁本体に保持されることを特徴とする請求項１に記載のソケットコネクタ。
【請求項５】
前記第１舌片の頂壁には、前記第２保持部を収容するための第３収容溝が形成されることを特徴とする請求項４に記載のソケットコネクタ。
【請求項６】
前記複数の第１端子は、ＵＳＢ規格によるプラグコネクタの導電端子に嵌合し、電源端子と、第１接地端子と、電源端子及び接地端子の間に配置される一対の差動信号端子と、を含むことを特徴とする請求項１に記載のソケットコネクタ。
【請求項７】
前記複数の第２端子は、二対の差動信号端子と、二対の差動信号端子の間に配置される第２接地端子とを含むことを特徴とする請求項１に記載のソケットコネクタ。
【考案の詳細な説明】
【技術分野】
【０００１】
本考案は、ソケットコネクタに関して、特に、回路基板に接続するためのソケットコネクタに関するものである。
【背景技術】
【０００２】
コンピュータを内蔵する本体機器の高機能化とともにプリンタや入力装置、ハードディスクドライブ（HDD：Hard Disk Drive）などの周辺機器も高機能化が進んでいる。このコンピュータと周辺機器とは、所定の決められた通信規格によって通信ケーブルなどで接続される。高機能化とともにこれまで多くの通信規格が提案され普及しているが、近年はUSB規格に基づいた周辺機器接続方式が多く利用されている。
【０００３】
インターフェイス規格として、ＵＳＢ１.０と、ＵＳＢ１.１と、ＵＳＢ２.０との規格が順に発表され、そのＵＳＢ１.０規格によるコネクタの伝送速率は１.５Ｍpbsであり、ＵＳＢ１.１規格によるコネクタの伝送速率は１２Ｍpbsであり、ＵＳＢ２.０規格によるコネクタの伝送速率は４８０Ｍpbsであり、ＵＳＢ２.０規格によるコネクタが今、電子業界に一般に普及するように使用される。
【考案の開示】
【考案が解決しようとする課題】
【０００４】
電子業の発展に従って、ＵＳＢ２.０規格に拠るコネクタの伝送速度が発展の要求に満足せず、例えば、音楽や映画を伝送する場合には、伝送速度が１Gpbs以上に達し、この時、ＵＳＢ２.０規格のコネクタは、伝送速度の使用要求を満足できないので使用が制限される。今、音楽や映画を伝送する場合に、高速伝送できるSerial-ATA規格等のコネクタが常に使用されている。だが、応用の方面において、ＵＳＢ規格のコネクタはSerial-ATA規格等のコネクタより広くなっている。また、ＵＳＢ規格のコネクタの体積がより小さいので、電子業界の小型化の発展に有利になっている。そこで、ＵＳＢ規格に拠り、高速伝送できる新型のソケットコネクタを開発することが必要である。
【０００５】
本考案は、伝送速度を向上させることができるソケットコネクタを提供することを目的とする。
【課題を解決するための手段】
【０００６】
本考案のソケットコネクタは、第１舌片を含む第１挿入口と、第２舌片を含む第２挿入口と、を並べるように形成される絶縁本体と、前記第１舌片に装着される第１導電端子組と、前記第２舌片に装着される第２導電端子組と、を含み、回路基板に実装されたソケットコネクタにおいて、前記第１導電端子組は複数の第１端子と第２端子とを含み、前記第１端子は第１コンタクト部を有し、前記第２端子は第２コンタクト部を有し、前記第１コンタクト部と第２コンタクト部は前記第１舌片の底壁に配置され、第１コンタクト部が前記第１舌片の底壁を突出し、第２コンタクト部が前記第１舌片の底壁に貼付けられるように配置されることを特徴とする。
【考案の効果】
【０００７】
従来技術に比べ、本考案は以下の利点を有し、第２導電端子組を増加することにより伝送速度が向上し、また、第１挿入口と第２挿入口が並べるように配置されるので、ソケットコネクタの高さが減少できる。
【考案を実施するための最良の形態】
【０００８】
以下、図１〜図５を参照し、本考案のソケットコネクタ１００の好ましい実施形態について、添付図面を参照して説明する。本考案の実施状態のソケットコネクタ１００は回路基板（図示せず）に実装され、絶縁本体１と、絶縁本体２を被覆するためのシールドケース２と、前記絶縁本体１に装着される第１導電端子組３及び第２導電端子組４と、絶縁本体１に組付けられた第１シェル５と第２シェル６と、絶縁本体１の後端に組付けられる第１ベース７と、第２ベース８と、を含む。
【０００９】
ソケットコネクタ１００は、左右方向で並べるように配置される第１挿入口１０と第２挿入口１１とを、含み、第１挿入口１０には第１舌片１２と第１舌片１２に装着した前記第１導電端子組３とを含み、第２挿入口１１には第２舌片１８と、第２舌片１８に装着した第２導電端子組４とを含む。本実施状態において、第１挿入口１０と第２挿入口の構造が同じであるので、第１挿入口１０を例として説明し、第２挿入口１１の構造については、ここで省略し説明しない。
【００１０】
前記第１挿入口１０は、第１舌板１２を収容する収容空間１５を有し、第１舌片１２は対向するように配置される上方の底壁１２１と下方の頂壁１２２とを有し、底壁１２１には第１収容溝１２３と、第１収容溝１２３より前方に位置する第２収容溝１２４がそれぞれ形成され、第１収容溝１２３と第２収容溝１２４が互いに連通しない。第１舌片１２の頂壁１２２には第３収容溝１２５が形成され、第１舌片１２の先端壁には前記第２収容溝１２４と第３収容溝１２５を連通するための凹溝１２６が形成される。
【００１１】
前記絶縁本体１の第１挿入口１０に対応する後端には保持溝１３と受容空間１４とを有し、受容空間１４の両側に固持溝１６がそれぞれ形成され、絶縁本体１の両外側には溝部１７がそれぞれ設けられる。
【００１２】
前記第１導電端子組３は、複数の第１端子３１と第２端子３２とを有し、複数の第１端子３１の構造が同じであり、弾性的な弧状の第１コンタクト部３３と、回路基板に接続するための第１テール部３５と、第１コンタクト部３３と第１テール部３５を連接するための第１保持部３４とをそれぞれ有し、第１コンタクト部３３は第１収容溝１２３に収容され、弧状の部分が第１収容溝１２３を突出して前記収容空間１５に延出している。第１保持部３４は第１コンタクト部３３の後端から下向きに折曲がって延出するように形成され、保持溝１３に部分的に保持される。第１端子３１の構造と配置方式はＵＳＢ規格に符合し、具体的に、第１端子３１は、電源端子３１１と、一対の差動信号端子３１２と、第１接地端子３１３と、を有し、一対の差動信号端子３１２は電源端子３１１と第１接地端子１３１の間に配置される。
【００１３】
複数の第２端子３２は、構造が同じで、平板状の第２コンタクト部３６と、回路基板に接続するための第２テール部３８、第２コンタクト部３６と第２テール部３８とを連接するための第２保持部３７と、をそれぞれ含み、第２コンタクト部３６は第１舌片１２の第２収容溝１２４に貼付けるように収容され、前記第２保持部３７は第２コンタクト部３６の前端から折曲がって延出するように前記凹溝１２６に収容される折曲部（参照記号なし）と、折曲部から折曲がって第２コンタクト部３６と平行状態で延出するように第３収容溝１２５に収容された部分とを含む。第１コンタクト部３３と第２コンタクト部３６が第１舌片１２の下方の底壁１２１に位置し、第１コンタクト部３３が第２コンタクト部３６より下向きに突出している。複数の第２端子３２は、二対の差動信号端子３２１と、一本の第２接地端子３２２とを有し、一本の第２接地端子３２２が二対の差動信号端子３２１の間に配置されることによってノイズが減少する。
【００１４】
第１シェル５は第１挿入口１０に装着され、その周囲の側壁には弾性片５１がそれぞれ設けられ、前記側壁の後端には絶縁本体１に保持されるための挿入片５３がそれぞれ形成される。
【００１５】
第１ベース７は、絶縁本体１の後端に形成された受容空間１４に組付けられ、その両側には絶縁本体１の固持溝１６に係合するための固持部７６がそれぞれ形成され、第２端子３２の第２保持部３７を位置決めするための位置決め孔７２が貫通するように形成される。
【００１６】
第２シェル６が第２挿入口１１に組付けられ、第２ベース８が絶縁本体１の後端に組付けられ、第１シェル５と第１ベース７の構造とそれぞれ同じであるので、ここで詳細に説明しない。
【００１７】
前記シールドケース２が絶縁本体１の周囲を覆い、前記第１挿入口１０と第２挿入口１１に対応するための第１ケース２０と第２ケース２１がそれぞれ形成され、シールドケース２の両側には絶縁本体１の溝部に係合するための係合片２７がそれぞれ設けられ、底壁には絶縁本体１に係合するための係止片２２がそれぞれ形成される。
【００１８】
ソケットコネクタ１００の第１挿入口１０は、従来のＵＳＢ規格に拠るソケットコネクタ（図示せず）より二対の差動信号端子３２１と一本の接地端子３２２を増加し、且つ、第１舌板１２の寸法が従来のＵＳＢ規格に拠るソケットコネクタの舌板とほぼ同じであるので、従来のＵＳＢ規格に拠るプラグコネクタ２００（図６に示す）を嵌合でき、第２端子３２のコンタクト部３６が平板状を呈すると共に第２収容溝１２４に完全に収容されるので、従来のプラグコネクタ２００の導電端子２０７に摩擦するように接触しない。
【００１９】
ソケットコネクタ１００が対応するプラグコネクタ５００（図７，８に示す）に嵌合する際に、プラグコネクタ５００の挿入部５０１が第１挿入口１０に挿入され、前記第１端子３１がプラグコネクタ５００の第１端子５０３に電気的且つ機械的に接続し、第２端子３２がプラグコネクタ５００の第２端子５０２に電気的且つ機械的に接続している。二対の差動信号端子３２１を増加することで、伝送速度が向上する。第２挿入口２０のインターフェイス規格が前記第１挿入口１０と完全に同じである。勿論、他の実施状態において、第２挿入口のインターフェイス規格は、第１挿入口と異なっていてもよく、例えば、Ｓｅｒｉａｌ ＡＴＡ規格、ＨＤＭＩ（High Definition Multimedia Interface）規格等でもいい。
【００２０】
前記第１挿入口１０と第２挿入口１１とが並べるように配置されるので、ソケットコネクタ１００の上下方向での高さを低減できる。
【００２１】
以上本考案について最良の実施の形態を参照して詳細に説明したが、実施形態はあくまでも例示的なものであり、これらに限定されない。また上述の説明は、本考案に基づきなしうる細部の修正或は変更など、いずれも本考案の請求範囲に属するものとする。
【図面の簡単な説明】
【００２２】
【図１】本発明に係るソケットコネクタの組立斜視図である。
【図２】図１に示すソケットコネクタの他の角度から見た斜視図である。
【図３】図２に示すソケットコネクタの分解斜視図である。
【図４】本発明に係るソケットコネクタの部分分解斜視図である。
【図５】図４に示すソケットコネクタの他の角度から見た分解斜視図である。
【図６】従来のＵＳＢ２.０規格のプラグコネクタの斜視図である。
【図７】本発明に係るソケットコネクタに嵌合するためのプラグコネクタの斜視図である。
【図８】図１に示す本発明に係るソケットコネクタに嵌合するためのプラグコネクタの分解斜視図である。
【符号の説明】
【００２３】
１００  ソケットコネクタ
１  絶縁本体
２  シールドケース
３  第１導電端子組
４  第２導電端子組
５  第１シェル
６  第２シェル
７  第１ベース
８  第２ベース
１０  第１挿入口
１１  第２挿入口
１２  第１舌片
３１  第１端子
３２  第２端子
３３  第１コンタクト部
３４  第１保持部
３５  第１テール部
３６  第２コンタクト部
３７  第２保持部
３８  第２テール部
３１１  電源端子
３１２  差動信号端子
３１３  第１接地端子
３２１  差動信号端子
３２２  第２接地端子
【図１】
0003145526.tif 000003
【図２】
0003145526.tif 000004
【図３】
0003145526.tif 000005
【図４】
0003145526.tif 000006
【図５】
0003145526.tif 000007
【図６】
0003145526.tif 000008
【図７】
0003145526.tif 000009
【図８】
0003145526.tif 000010